(57)【特許請求の範囲】
【請求項１】
水晶片を密閉封入した水晶振動子の周波数温度特性に関する温度情報を前記水晶振動子の外表面に印字してなる水晶振動子の温度情報印字システムにおいて、前記水晶振動子を槽内温度の異なる複数の温度槽を連続的に搬送して、前記水晶振動子の各温度槽における温度情報を得ると共に前記温度情報をコンピュータに取り込み、前記最終段の温度槽から搬出された水晶振動子に前記コンピュータに取り込まれた温度情報を印字することを特徴とする水晶振動子への温度情報印字システム。
【発明の詳細な説明】
【０００１】
本発明は、水晶振動子への温度情報印字システムを産業上の技術分野とし、特にインライン型とした周波数温度特性測定装置による温度情報を印字した温度情報印字システムに関する。
【０００２】
【従来の技術】
（発明の背景）水晶振動子は周波数及び時間の基準源として知られ、特に通信機器の発振器に用いられる。このようなものの一つに温度補償型の発振器があり、例えば水晶振動子の表面に印字された周波数温度特性に関する温度情報に基づいて、温度補償回路の各素子の定数を決定する。
【０００３】
（従来技術の一例）第４図及び第５図は一従来例を説明する水晶振動子及び温度情報印字システムの概略図である。
水晶振動子１は、例えば容器本体２内に水晶片３を収容し、カバー４を被せて密閉封入される。水晶片３は図示しない電極が延出した一端部両側が導電性接着剤５によって固着される。容器本体１の外表面には実装電極６を有する。
【０００４】
温度情報印字システムは、先ず、多数の水晶振動子１が測定リング７の凹所８に配設され、温度槽（チャンバ）９の半球状の蓋を作業員が開けて収容する。温度槽９は例えば-30、0、25、50及び75℃の５温度に順次設定される。そして、温度槽９の各温度において、測定リング７に配設された多数の水晶振動子１の振動周波数が、周波数測定装置１０によってそれぞれ測定される。なお、水晶振動子１の底面に設けられた実装電極６に測定端子１１が当接して測定される。と同時に、各水晶振動子１の各温度時における振動周波数が温度情報として、コンピュータ１２の記録媒体に取り込まれる（書き込まれる）。
【０００５】
次に、温度槽９の蓋を作業員が開けて測定リング７を取り出すとともに温度情報の記録媒体をコンピュータ１２から取り出す。これらは、測定リング７と記録媒体が対応するように管理される。そして、記録媒体を図示しないレーザ等による印字装置のコンピュータにセットする。そして、測定リング７から水晶振動子１を順次に取り出して印字装置に供給し、コンピュータに取り込まれた温度情報をバーコードとして各水晶振動子１に印字する。
【０００６】
なお、温度情報を印字された水晶振動子１は、発振器を形成する回路基板に搭載される。そして、温度情報に基づいて図示しない温度補償回路の各素子値を算出し、これに見合う素子を搭載する。
【０００７】
【発明が解決しようとする課題】
（従来技術の問題点）しかしながら、上記構成の温度情報の印字システムでは、温度槽９の蓋を開閉して測定リング７を出し入れし、記録媒体とともに印字装置に移送して温度情報を印字する。このため、温度情報の印字に至るまでの自動化が達成されず、人件費が嵩む問題があった。また、測定リング７と記録媒体を温度槽９から印字装置へ移送する際、これらの量が多い場合には、測定リング７と記録媒体との混同を生じて誤った温度情報を印字する問題もあった。
【０００８】
（発明の目的）本発明は水晶振動子の周波数温度特性の測定から温度情報の印字までを自動化した水晶振動子への温度情報印字システムを提供することを目的とする。
【０００９】
【課題を解決するための手段】
本発明は、水晶振動子を槽内温度の異なる複数の温度槽を連続的に搬送し、水晶振動子の各温度槽における温度情報を得ると共にコンピュータに取り込み、最終段の温度槽から搬出された水晶振動子に温度情報を印字することを基本的な解決手段とする。
【００１０】
【作用】
本発明では、複数の温度槽を連続的に搬送して水晶振動子の温度情報を得るので、印字工程までを自動化できる。以下、本発明の一実施例を説明する。
【００１１】
【実施例】
第１図は本発明の一実施例を説明する水晶振動子への温度情報印字システムの概略図である。なお、前従来例と同一部分には同番号を付与してその説明は簡略又は省略する。
温度情報印字システムは周波数温度測定機構１３と印字機構１４からなる。周波数温度測定機構１３は、複数個のここでは5個の温度槽１５（ａｂｃｄｅ）からなる。各温度槽１５は例えば槽内温度を20、-30、0、50、75℃の５温度点として一定に維持される。温度槽１５ａの前段には水晶振動子１の供給部１６が、温度槽１５ｅの後段には印字機構１４が設けられる。供給部１６、各温度槽１５及び印字機構１４の間はシャッタ機構２３によって開閉される。そして、供給部１６から印字機構１４までの間を搬送機構によって水晶振動子１を搬送する。
【００１２】
搬送機構は、第２図の概略断面図に示したように、各温度槽１５内に凹所１７を有する一組の搬送固定レール１８とその下方に設けられた搬送移動体１９からなる。搬送移動体１９は搬送固定レール１８の凹所１７に突出する搬送ツメ２０を有した搬送可動レール２１からなる。そして、搬送可動レール２１を上下に昇降して前進後退させ、各凹所１７内に収容された搬送キャリア２２を次の凹所１７に移動させる。これらは動作及び停止を繰り返す間欠動作とする。
【００１３】
供給部１６、各温度槽１５及び印字機構１４の間に設けたシャッタ機構２３は、搬送移動体１９が動作して搬送キャリア２２を次の温度槽１５へ移送中は開として、停止中は閉とする。また、搬送キャリア２２には第３図に示したように凹所２３が設けられ、複数の水晶振動子１が収容（保持）される。そして、個々にバーコード２４が形成される。
【００１４】
このようなものでは、複数の水晶振動子１が収容された各搬送キャリア２２が供給部１６から恒温槽１５ａに搬入される際、先ず、コード読取器２５ａによって搬送キャリア２２のバーコード２４が読み取られ、ホストコンピュータ２７に記憶される。
【００１５】
次に、各搬送キャリア２２はシャッタ機構２３を経て、温度槽１５ａ内に順次に搬入され、槽内温度に達するとともに搬出口側に設けた周波数測定装置２６によって各水晶振動子１の振動周波数を測定される。そして、周波数測定装置２６に連動したコンピュータ１２を経て、槽内温度20℃時における振動周波数が温度情報としてホストコンピュータ２７に記憶される。
【００１６】
次に、シャッタ機構２３を経て恒温槽１５ｂに搬入されて、槽内温度−30℃の振動周波数を測定されて温度情報をホストコンピュータ２７に記録され、以下同様に温度槽１５（ｃｄｅ）の温度0、50、75℃における水晶振動子１の温度情報をホストコンピュータ２７に記録される。
【００１７】
次に、最後の温度槽１５ｅで振動周波数を測定された搬送キャリア２２は、シャッタ機構２３を経て印字機構１４に搬送される。そして、コード読取器２５ｂによってバーコード２４を読み取られ、ホストコンピュータ２７に記憶（格納）された同バーコード２４の各水晶振動子１の温度情報が読み出される。そして、各温度情報が、レーザ等による印字装置によって水晶振動子１の例えばカバー４に記録される。これらは、順次に搬送される搬送キャリア２２の水晶振動子１に対して連続的に行われる。
【００１８】
このような構成であれば、多数の水晶振動子１を収容した各搬送キャリア２２を、複数の温度槽１５を搬送して各水晶振動子１の温度情報を得るとともにホストコンピュータ２７に格納し、各搬送キャリア２２のバーコード２４を認識（照合）して温度情報を印字する。したがって、供給部１６への搬送キャリア２２の設置後は各温度時における振動周波数の測定から温度情報の印字までを自動化でき、人手を排除して混同を防止する。
【００１９】
【他の事項】
上記実施例では、水晶振動子として説明したが、例えば容器本体２内に水晶片と発振回路を構成するＩＣチップを封入した水晶発振器の場合でも同様に適用でき、本発明はこれを排除するものではない。また、温度槽１５は５個としたが、これに限らず任意に設定できる。また、各温度槽１５にはそれぞれのコンピュータ１２を接続したが、容量によってはホストコンピュータ２７のみでもよい。
【００２０】
【発明の効果】
本発明は、水晶振動子を槽内温度の異なる複数の温度槽を連続的に搬送し、水晶振動子の各温度槽における温度情報を得ると共にコンピュータに取り込み、最終段の温度槽から搬出された水晶振動子に温度情報を印字するので、周波数温度特性の測定から温度情報の印字までを自動化した水晶振動子への温度情報印字システムを提供できる。
【図面の簡単な説明】
【図１】本発明の一実施例を説明する水晶振動子への温度情報印字システムの概略図である。
【図２】本発明の一実施例を説明する搬送機構の一部断面図である。
【図３】本発明の一実施例を説明する搬送機構の一部平面図である。
【図４】従来例を説明する水晶振動子の断面図である。
【図５】従来例を説明する周波数温度特性の測定図である。
【符号の説明】
１  水晶振動子、２  容器本体、３  水晶片、４  カバー、５  導電性接着剤、６  実装電極、７  搬送リング、８、１７  凹所、９、１５  温度槽、１０、２６  周波数測定装置、１１  測定端子、１２  コンピュータ、１３  周波数温度特性測定機構、１４  印字機構、１６  供給部、１８  搬送固定レール、１９搬送移動体、２０  搬送ツメ、２１  搬送可動レール、２２  搬送キャリア、２３  シャッタ機構、２４  バーコード、２５  読取器、２７  ホストコンピュータ。
【図１】
0003898472.tif 000002
【図２】
0003898472.tif 000003
【図３】
0003898472.tif 000004
【図４】
0003898472.tif 000005
【図５】
0003898472.tif 000006